(57)【要約】【課題】  主に衣服類等を吊持する衣類用ハンガーであって、衣服に付着した汗やタバコ等の匂いの原因菌を効果的に殺菌・除菌及び不活性化させることのできるよう工夫した衣類用ハンガーを提供する。【解決手段】  主に衣服類等を吊持する衣類用ハンガーであって、横方向に長尺に形成された肩部を備えた衣類用ハンガー本体と、当該衣類用ハンガー本体の中央部分に設けられた吊下げ部とからなり、当該衣類用ハンガー本体には紫外線領域又は青色可視光領域の光を発する光源が１又は複数備えられていることを特徴とする衣類用ハンガーを提供する。【選択図】図１
2016123698.tif 000002
【特許請求の範囲】
【請求項１】
主に衣服類等を吊持する衣類用ハンガーであって、
横方向に長尺に形成された肩部を備えた衣類用ハンガー本体と、
当該衣類用ハンガー本体の中央部分に設けられた吊下げ部とからなり、
当該衣類用ハンガー本体には紫外線領域又は青色可視光領域の光を発する光源が１又は複数備えられていることを特徴とする衣類用ハンガー。
【請求項２】
前記紫外線領域又は青色可視光領域の光を発する光源がＬＥＤであり、
前記衣類用ハンガー本体には、横方向に長尺に形成された肩部から延伸する曲折自在なアーム部が設けられており、
前記紫外線領域又は青色可視光領域の光を発する光源は、当該肩部又はアーム部に設けられていることを特徴とする、請求項１に記載の衣類用ハンガー。
【請求項３】
前記衣類用ハンガー本体には電流のオン／オフの切り替える切替部と、前記光源の出力を変更する出力切替部が設けられていることを特徴とする、請求項１又は２に記載の衣類用ハンガー
【請求項４】
前記衣類用ハンガー本体には衣服類等の重量又は存在有無を自動感知するセンサー部が設けられており、
当該センサー部の検知結果によって、前記光源の点灯または消灯を自動制御する制御回路を備えることを特徴とする、請求項１〜３の何れかに記載の衣類用ハンガー。
【請求項５】
前記衣類用ハンガー本体には、臭気センサーが設けられており、当該臭気センサーの値が一定以下になった状態において、前記光源が消灯する制御回路を備えている、請求項１〜４の何れかに記載の衣類用ハンガー。
【発明の詳細な説明】
【技術分野】
【０００１】
本発明は主に衣服類等を吊持する衣類用ハンガーに関し、特に、衣服に付着した汗やタバコ等の匂いの原因菌を効果的に殺菌・除菌及び不活性化させる等により、消臭効果が得られるよう改良した衣類用ハンガーに関する。
【背景技術】
【０００２】
従来より、衣類用ハンガーは主に衣服類を吊下げて保持・保管する為の整理具として多く利用されている。また、衣類用ハンガーに掛ける衣服類の中には、スーツや学生服、ジャンパーやコートといった毎日洗濯するのに適していない衣類もある。特に、スーツや学生服は、日中常に身につけ、動き回ることで汗やタバコ臭等が付着し、これらが原因となって雑菌が繁殖して悪臭を生じさせやすいものとなっていた。
【０００３】
そこで、従前においても衣服類に付着した臭いを消臭・脱臭させ、或いは衣類から臭いを発生させる原因菌を殺菌・抗菌する為に、衣類用ハンガー本体に上記効果を付帯させた衣類用ハンガーについては種々検討され、提案されている。
【０００４】
例えば、特許文献１（特開平１１−８９７００号公報）では、ハンガーに衣服を掛けるだけで短時間に十分な消臭又は除湿を行うべく、厚みを有する略三角板形状で、この三角板の一辺を底辺として、頂部を有する衣服ハンガー本体と、この衣服ハンガー本体に内蔵されるモーターで駆動されるファンとを有する衣服ハンガーであり、ファンの駆動により、前記三角形板の下方より吸気し、前記頂部より排気することを特徴とする衣服ハンガーが提案されている。
【０００５】
また、特許文献２（特開２００１−８８１２号公報）では、毎日洗濯できない外出着などの衣服に用いる、脱臭・抗菌ハンガーを提供するべく、衣服を掛ける部分が、細い網目からなる衣服用ハンガー又は、衣服を掛ける部分に多数の小穴を開けた筒状のプラスチックハンガーの中に、直接又は袋詰め、あるいはネットに入れた脱臭剤・抗菌剤・除菌剤・乾燥剤等の薬剤を収めた衣服用脱臭・抗菌ハンガーが提案されている。
【先行技術文献】
【特許文献】
【０００６】
【特許文献１】特開平１１−８９７００号公報
【特許文献２】特開２００１−８８１２号公報
【発明の概要】
【発明が解決しようとする課題】
【０００７】
上述のように、従前においても、衣類用ハンガー本体に、消臭・脱臭或いは殺菌・抗菌等の効果を発現するように工夫した衣類用ハンガーは種々提案されている。しかしながら、特許文献１ではモーターによるファンの駆動音が発生する可能性があり、またモーターの作動に際して熱が発生することも予想される。更に、モーター及びファンを内蔵する為にハンガー本体を大きく形成する必要があった為、利用（製造）できる衣類用ハンガーの形状が限定されてしまっていた。衣類用ハンガーの形状が限定されてしまえば、掛けることのできる衣服の種類も制限されてしまい、汎用性に乏しいものとなっていた。
【０００８】
そこで、本発明ではモーターやファンの駆動音などの不快な音が生じることなく、また意図しない熱などが発生する事もなく、そして衣類用ハンガーの形状が制限されることを無くして、匂いの原因菌を殺菌・除菌及び不活性化させることのできるよう工夫した衣類用ハンガーを提供することを第１の課題とする。
【０００９】
また、特許文献２のようにハンガー本体に消臭・脱臭剤等を直接収めたハンガーにおいては、時間の経過とともに消臭・脱臭剤の効果が無くなり、長時間（長期間）使用した場合には、効果が劣化してしまっていた。効果が劣化してしまえば都度部材の交換が必要になり、その交換作業が煩雑な上、交換に要する消臭・脱臭剤の費用も嵩むという問題があった。
【００１０】
そこで、本発明では長時間（長期間）使用することができ、且つ時間の経過とともに効果が劣化するような事態を極力減じたまま、匂いの原因菌を殺菌・除菌及び不活性化させることのできるよう工夫した衣類用ハンガーを提供することを第２の課題とする。
【００１１】
さらに、多くの場合、衣類用ハンガーは衣服を掛けて押入れやクローゼット等に収納して保管される。しかしながら、押入れやクローゼットの中に照明装置が無い場合や、暗い所に存在するハンガー掛けに衣類用ハンガーを引っ掛けて保管する場合などには、掛けてある衣服の目視確認が困難な場合があった。
【００１２】
そこで、本発明では暗い場所や照明装置が無い場所においても、掛けてある衣服を目視して確認することができるようにしながらも、更に匂いの原因菌を殺菌・除菌及び不活性化させることのできるよう工夫した衣類用ハンガーを提供することを第３の課題とする。
【課題を解決するための手段】
【００１３】
前記課題の少なくとも何れかを解決するべく、本発明では主に衣服類等を吊持する衣類用ハンガーであって、横方向に長尺に形成された肩部を備えた衣類用ハンガー本体と、当該衣類用ハンガー本体の中央部分に設けられた吊下げ部とからなり、当該衣類用ハンガー本体には紫外線領域又は青色可視光領域の光を発する光源が１又は複数設けられていることを特徴とする衣類用ハンガーを提供する。
【００１４】
かかる本発明の衣類用ハンガーは、紫外線領域又は青色可視光領域の光を発する光源によって、臭いの原因菌を殺菌・除菌することができ、その結果、当該衣類用ハンガーに吊下げた衣類の消臭・除菌を行う事ができる。よって、毎日身につけている衣服類（例えばスーツや学生服等）を、帰宅後に当該衣類用ハンガーに吊下げておくだけで、翌日には当該衣服類を消臭・除菌したものとすることができる。
【００１５】
前記衣類用ハンガー本体は、掛けられた衣服類を吊持する機能を有し、横方向に長尺な肩部を備える。ここでいう肩部とは、衣服類における首の付け根から腕の付け根に至る胴体の上側に当たる部分を支持する要素である。即ち、前記肩部を備えた衣類用ハンガー本体は、掛ける衣服類の種類やサイズ、重量等を鑑みて、様々な形状に形成することができる。例えば、円弧状や『へ』の字状（又は『人』の字状）、或いは直線状等の形状に形成することができる。当該肩部を様々な形状に形成できる事から、スーツや学生服等の上着類の他、パンツやスカート等の下着やネクタイ等の小物、その他和服等の普段あまり身に付けない衣服類の保管にも利用することができる。更に当該衣類用ハンガー本体には、用途に応じた有利な構成を設けることができる。例えば、下着や小物類を挟持する挟持部を別途設けたり、衣服類が滑り落ちないよう滑り止め加工を施すことができる。また、当該衣類用ハンガー本体を折り畳み自在に形成すれば、収納や移動にも至便なものとなる為、洗濯やクリーニングが困難な旅行先や外出先にも携行し、利用することも容易となる。
【００１６】
また、本発明にかかる衣類用ハンガーは、紫外線領域又は青色可視光領域の光を有する光源を１又は複数備えている。前記光源は、紫外線領域又は青色可視光領域の光を有するものであれば良く、低圧水銀ランプや高圧水銀ランプやＬＥＤ、或いはキセノンランプを利用した閃光パルス等を利用して形成できる。なかでも、特に発光ダイオード（ＬＥＤ）を利用して光源を形成するのが望ましい。これは、前記ＬＥＤが人体への影響（害）が極力少なく、長寿命な他、低コストで製造できる為である。さらに、ＬＥＤは後述する殺菌作用においても、短時間での殺菌が可能で、且つ照射物に対して極力変化を与えない為、染色又は着色されている衣服に対してもほとんど影響を与えず利用できる為である。特に、光源として青色ＬＥＤを使用した場合には、人体への影響を抑えつつ、殺菌作用を施すことができる為、本発明にかかるハンガーに有効に利用することができる。
【００１７】
ここで紫外線とは、一般には、約１００ｎｍから約４００ｎｍの波長領域（紫外線領域）にある電磁波と理解されており、青色可視光線とは約３８０ｎｍ〜約４９５ｎｍの波長領域にある電磁波と理解されている。そして、この紫外線領域又は青色可視光領域の電磁波（又は「光」。以下同じ）を照射させることで、生物の生命維持に必要なＤＮＡ（核酸）の結合を破壊し、細菌やウイルスの増殖力を無くし死滅させることができる。即ち、当該紫外線領域又は青色可視光領域の光を有する光源を照射することで、汗やタバコ等が原因となって雑菌が繁殖し、臭気を発するようになった衣服類に対して、有効的且つ効果的に殺菌及び除菌作用をもたらすことができる。ここで、使用する光源の波長及び出力は用途に応じて任意に選択することができる。即ち、殺菌作用の効果を最大限得られるようにするためには、殺菌作用の高い波長（２５０ｎｍ近傍）をより多く出力するのが望ましいが、人体への影響も考慮すれば、約３５０ｎｍ〜４００ｎｍ程度の波長に設定するのが望ましい。
【００１８】
光源を設ける具体的な構成としては、例えば前記衣類用ハンガー本体を、三角環形状に形成し、その何れかの部位に光源を設ける他、当該三角環を起点として任意の方向に延伸するアーム部分を設け、このアーム部分に光源を設けることができる。その際、衣類において、汗等が付着しやすい肩、脇の下、及び／又は首の部分に効果的に殺菌・除菌の為の光（又は電磁波。以下同じ）を照射する為に、三角環形状に形成した衣類用ハンガー本体における左右の斜辺部分、及び／又は斜辺同士が交差する中央部分に複数の光源を設ける事も望ましい。また、前記アーム部分は、曲折自在に形成しても良く、当該アーム部分にも光源を設ければ、アーム部分を任意の方向に曲折させて、衣服の首部分や臭気を発する部分に向けて、自在に光源を照射させることができる。即ち、アーム部分を設けることで、衣服が大人用や子供用、或いは日によって掛ける衣服の種類が変わったりしたとしても、光源を照射させたい部分に自在に方向付けることが可能になる。
【００１９】
また、衣類用ハンガー本体を透明な中空部材（パイプなど）を用いて適宜形状に形成し、前記光源は、この衣類用ハンガー本体の中空部分に収容状態で設置することができる。この様に形成すれば、当該光源の光は、中空部材を透過して衣類を照射することができ、また光源が衣類用ハンガー本体の表側に突出することが無い事から、掛けた衣類の変形などの問題を阻止することができる。また、当該衣類用ハンガー本体を任意の材料及び形状に形成し、前記光源は、当該衣類用ハンガー本体に直接接着する等によって設けても良い。但し、直接衣類用ハンガー本体（或いは肩部）に光源を接着する際には、掛けた衣服の形状を変形等させないよう、可能な限り薄厚のチップ型等の光源を使用するか、或いは掛けた衣類を支持していない面（例えば前記斜辺や底辺を構成する部分の下面など）に形成するのが望ましい。
【００２０】
ここで、光源に対する電力の供給は、任意の構成にすることができる。例えば、電池（リチウム電池、ボタン電池、蓄電池等）を用いたり、一般家庭電力を利用したりして電力を供給することもできる。但し、衣服類を任意の場所に吊下げて保管するという本来の目的を鑑みれば、可能な限りその機能を阻害しないように構成されるのが望ましく、持ち運び等にも支障が無いように、当該衣類用ハンガーに一体化した電池を用いるのが望ましい。
【００２１】
また、本発明にかかる衣類用ハンガーでは、光源の波長や出力を調整することで、照明器具としての効果も期待できる。即ち、ロッカー内などの暗い場所においても、光源から発せられる光が当該暗い空間を照らし出し、掛けてある衣服を目視確認することが可能になる。特に光源にＬＥＤを使用した場合には、用途に応じて調色又は調光等の光の制御が容易となる為、カラー演出によるディスプレイ効果等も奏することができる。その結果、例えば店舗・店頭にて衣服を販売する場面においても、本発明にかかる衣類用ハンガーを使用すれば、空間演出におけるディスプレイ効果を醸し出しつつ、衣服類や設置空間内の効果的な殺菌及び除菌をすることができる。
【００２２】
さらに、前記衣類用ハンガー本体や吊下げ部には、光源の電流のオン／オフを切り替える切替部を設け、当該切替部の操作によって前記光源の照射有無を操作できるよう構成しても良い。その他、衣類用ハンガー本体や吊下げ部に、衣服類の重量又は存在有無を感知するセンサー部を設け、当該センサー部によって光源のオン／オフを自動制御するように構成しても良い。即ち、手動又は自動にて光源の照射有無を制御できるよう構成することで、使用者の意図しない光の照射を防止することができる。
【００２３】
また、前記当該光源のオン／オフは、更に光センサーや赤外線センサーによる検知結果によって実施することができる。即ち、前記衣類用ハンガー本体や吊下げ部の何れかに、光センサーや赤外線センサーを設け、クローゼットに収容する等、一定量の光を検知しなくなってから（即ち暗くなってから）動作するように設定する事もできる。この時、動作開始後、所定時間経過後に光源を消灯させるようにタイマーを設ける事もでき、例えば動作開始後、１分〜１時間、望ましくは１分〜３０分、特に望ましくは１分〜１０分杆点灯してから、消灯するように設定する事もできる。
【００２４】
その他、本発明にかかる衣類用ハンガーは、殺菌・除菌に使用する光源の電源が、一定の時間経過後、或いは一定の臭気が除去された事を感知して、自動でオフになる構成を伴っても良い。自動で光源の電源がオフになれば、光源エネルギー（電力）の無駄（損失）を抑える事ができ、効率的な光源の作用を促すことができる。
【００２５】
上述によって形成された衣類用ハンガー本体は前記吊下げ部によって支持される。前記吊下げ部は、前記衣類用ハンガー本体の中央部に設けられ、衣服類を吊持する主軸となる要素である。即ち、上述によって形成された衣類用ハンガー本体を支持し、主に室内における押入れやクローゼット内の物干し棒等に吊り下げる為の機能を果たす。その為、前記吊下げ部の先端は、フック状や挟持型のクリップ状等に形成することができる。また、吊下げ部（又は衣類用ハンガー本体）を回転自在に機能するよう設ければ、一度設置した当該衣類用ハンガーを逐一取り外すこと無く衣服を回転させることが可能になり、衣服の表側・裏側（背中側）の目視確認が容易なものとなる。
【００２６】
上記のような効果を促す為にも、衣類用ハンガー本体（及び肩部）及び吊下げ部に供する材質は、木材や樹脂、或いは金属等の素材で形成可能であり、単体の素材でも形成できるし、組み合わせて形成しても構わない。但し、当該衣類用ハンガーの機能性や耐久性或いは使用頻度等を鑑みて形成される必要があり、可能な限り上記本発明にかかる効果を阻害しない素材及び形状で形成されるのが望ましい。
【発明の効果】
【００２７】
上記本発明によれば、騒音等の不快音を生じる可能性が無く、利用する光源は衣類用ハンガー本体に内蔵又は外付けすることも可能である為、利用（製造）できる衣類用ハンガーの形状が限定されること無く、衣服類に付着した匂いの原因菌を殺菌・除菌及び不活性化できる。
【００２８】
また、光源にＬＥＤ等を利用した場合には長時間（長期間）使用可能で、且つ効果が劣化する可能性が極力少ない。その為、衣服類に対して殺菌・除菌等を効率良く施すことができ、かかる部材交換の作業等が発生することが極力少なくなる。また、ＬＥＤであれば発熱も少ないことから、掛けた衣類の損傷などを無くすことができる。
【００２９】
さらに、匂い及び汚れの付着した箇所を集中して有効的且つ効果的に殺菌・除菌できる他、紫外線領域又は青色可視光領域の光を照射することで、菌の増殖及び繁殖を抑えることができる為、常に衣服類を清潔に保つことができる。
【００３０】
即ち、毎日洗濯することができなく、常に身につけていることで汗やタバコ等の匂いが付着しやすい衣服類（例えばスーツや学生服等）に対して有効的に利用することができる。
【００３１】
また、当該光源は照明効果やディスプレイ効果も期待できる。その為、暗い場所や照明装置が無い場所においても、掛けてある衣服を効果的に目視確認することができる状態で、匂いの原因菌を殺菌・除菌及び不活性化させることができる。
【図面の簡単な説明】
【００３２】
【図１】第１の実施形態にかかる衣類用ハンガーの斜視図である。
【図２】第２の実施形態にかかる衣類用ハンガーの斜視図である。
【図３】第３の実施形態にかかる衣類用ハンガーの斜視図である。
【図４】本実施の形態にかかる衣類用ハンガーの使用例を示す斜視図であり、（Ａ）第１の実施形態の衣類用ハンガーにスーツを掛けた様子を示す斜視図、（Ｂ）第３の実施形態の衣類用ハンガーにＴシャツを掛けた様子を示す斜視図である。
【図５】光源の照明効果によってクローゼット内の衣服が目視確認できる様子を示す斜視略図である。
【発明を実施するための形態】
【００３３】
以下、図面を参照しながら本実施の形態にかかる衣類用ハンガーを具体的に説明する。  
図１は第１の実施形態にかかる衣類用ハンガーの斜視図であり、図２は第２の実施形態にかかる衣類用ハンガーの斜視図であり、図３は第３の実施形態にかかる衣類用ハンガーの斜視図である。図４は本実施の形態にかかる衣類用ハンガーの使用例を示す斜視図であり、（Ａ）第１の実施形態の衣類用ハンガーにスーツを掛けた様子を示す斜視図、（Ｂ）第３の実施形態の衣類用ハンガーにＴシャツを掛けた様子を示す斜視図であり、図５は光源の照明効果によってクローゼット内の衣服が目視確認できる様子を示す斜視略図である。
【００３４】
図１における衣類用ハンガー１０は、衣服類における首の付け根から腕の付け根に至る胴体の上側に当たる部分を支持する肩部１１を備えた衣類用ハンガー本体１２と、前記衣類用ハンガー本体１２を支持するフック状の吊下げ部１３とから構成している。
【００３５】
衣類用ハンガー本体１２は、透明なプラスチックからなる中空部材を用いて、『へ』の字状に曲折させ形成しており、左右端部及び中央部には、光源１４を衣服に照射する為の四角形に開口する開口部１６を形成している。また、一方の肩部１１には衣服の存在有無を自動感知するセンサー部１５を設けている。当該光源１４には紫外線領域又は青色可視光領域の光を発するＬＥＤランプを使用し、左右端部に各々５個、中央部には計６個配置し、衣類用ハンガー本体１２の中空部に配線を通して、これらのＬＥＤランプを電気的に接続している。また、衣類用ハンガー本体１２の中央部の正面（衣服の前面）には電源格納部１７を形成し、当該電源格納部１７にボタン電池を格納し、光源１４に電力を供給するための電源としている。
【００３６】
上記によって構成された衣類用ハンガー１０を使用すれば、掛けた衣服の存在を、重さによってセンサー部１５が自動感知して、光源が発光し、衣服に対して光源１４から発せられる紫外光又は青色可視光を照射する。照射した当該光源１４は紫外線領域又は青色可視光領域の光の特性により、衣服の肩・脇及び首部分に付着した匂いの原因菌を効果的に殺菌・除菌することができる。また、この光源が発光している間は菌の増殖及び繁殖も抑えることができる為、常に衣服を清潔な状態に保つことができる。
【００３７】
また、図２に示す衣類用ハンガー２０のように、光源２４に薄厚（本例では１２０μｍ程度の厚み）のチップ型ＬＥＤを使用して構成しても良い。即ち、光源２４は薄厚のチップ型で形成されている為、衣類用ハンガー本体１２を中空状に形成し、この中空部内に光源を内蔵させなくとも、直接外付けすることが可能になる。その為、衣類用ハンガーを中空状に形成する製造の手間が省ける他、より効果的に衣服に対して殺菌・除菌作用を施すことができる。また、光源２４を薄厚で形成している為、掛けた衣服の形状が変形等生じるおそれもなく、安心して使用できる。
【００３８】
また、図３に示す衣類用ハンガー３０のように、衣類用ハンガー本体１２の中央部に、当該衣類用ハンガー本体１２を基端として延伸するアーム部３１を設けることもできる。当該アーム部３１は金属や樹脂を用いて形成することができ、一体物として形成する他、多節構造であって任意に曲折できるように形成することができ、これは肩部１１の下面から延伸して、曲折自在に形成されている。即ち、光源１４を照射させたい部分を限定すること無く、当該アーム部３１を曲折させることにより、任意の場所に紫外光又は青色可視光を照射することができる。具体的には、例えば衣服には男性用、女性用、或いは幼児用等の様々なサイズがある。サイズが違えば、衣服の首元の位置が変わったり、衣服の種類によっても首元の位置は各々異なるものとなってくる。また、同じ男性用であっても、衣服の種類によって、首元などのデザインはさまざまである。そうした場合にも、使用者自身が衣服の種類或いはサイズに応じて適宜アーム部３１を曲折調整することで、首元に光源１４を照射させることができ、効果的な殺菌・除菌作用を施すことができる。
【００３９】
また、小さい幼児が嘔吐や泥等で衣服を汚してしまった場合、多忙で手を離せなく（洗濯できない）、一時保管として衣類用ハンガーを利用することもある。そうした場合においても、本実施形態にかかる衣類用ハンガー３０のアーム部３１を曲折調整して、汚れの該当箇所に集中して光源１４を照射させることができる。そうすることで、汚れの原因菌を効果的に殺菌・除菌でき、その後の衣服の手洗い或いは洗濯等においても菌が周りに感染する可能性を少なくすることができる。
【００４０】
また、この実施の形態では、当該アーム部３１は肩部１１の下面から延伸するように形成している。その結果、当該アーム部３１が肩部１１の上側に突出する事が無く、これにより掛けた衣服のシルエットを崩してしまうといった問題を解消することができる。
【００４１】
図４（Ａ）では第１の実施形態にかかる衣類用ハンガー１０の使用例を示し、衣類用ハンガー１０に対して、衣服類４１としてスーツを掛けている。当該衣類用ハンガー１０には左右端部と中央部に光源１４を設けているので、スーツの肩・脇及び首に対して、効果的に紫外光又は青色可視光を照射することができる。即ち、毎日常に身に付け、汗等が付着した部分に光源を照射させていることで、当該箇所の殺菌・除菌を行う頃ができる。よって、毎日洗濯するのに適していないスーツや学生服等を衣類用ハンガー１０に掛けるだけで、衣服類４１を常に清潔に保つことができる。
【００４２】
また、図４（Ｂ）のように、衣服類４２として首元が大きく開放されたＴシャツを掛ける場合もある。そうした場合には、第３の実施形態にかかる衣類用ハンガー３０のようにアーム部３１を備えた衣類用ハンガー３０を使用するのが望ましい。これは、衣服類４２の首元部分の形状に合わせてアーム部３１を曲折させて適宜調整できることで、効果的に首元部分の殺菌・除菌が可能になる為である。
【００４３】
さらに図５に示すように、本実施の形態にかかる衣類用ハンガー５０は照明効果やディスプレイ効果も奏することができる。具体的には、当該衣類用ハンガー５０は、中央前面に使用者の存在有無を自動感知するセンサー部１５を設け、左右端部及び中央部には光源２４としてチップ型ＬＥＤを設けている。そして、当該中央部の光源２４は、掛けられた衣服類５２の首元よりも内側にくるよう設けている為、使用者が来たらその存在をセンサー部１５によって感知し、光源２４を発光させることで周りを照らす照明効果を発揮している。即ち、吊下げ部１３によって物干し棒５１に吊持された当該衣類用ハンガー５０は、使用者が衣服類４２を取りに来るだけで発光することができ、暗い場所や照明装置の無い場所においても効果的に衣服類５２の目視確認が可能になる。さらに、当該衣類用ハンガー５０には光源２４が自動で電源がオフになる機能が備えられている為、数分後に自動で消灯する。よって、光源２４の電力が無駄にならず、長時間（長期間）において有効に衣類用ハンガー５０が使用可能になる。
【００４４】
但し、本発明にかかる衣類用ハンガーは、本実施の形態に限定されるものではなく、発明の趣旨を逸脱しない範囲内において適宜変更することが可能である。例えば、当該光源を照明用途で使用しながら、更に殺菌効果を発現するように設置したり、光源をストロボ照射させたり、更にその他のセンサーを組み合わせて使用することができる。またセンサーとして光センサーや赤外線センサーを設け、この検知結果に応じて光源２４を点灯または消灯させることもできる。
【符号の説明】
【００４５】
１０、２０、３０、５０    衣類用ハンガー
１１    肩部
１２    衣類用ハンガー本体
１３    吊下げ部
１４、２４    光源
１５    センサー部
１６    開口部
１７    電源格納部
３１    アーム部
４１、４２、５２    衣服類
５１    物干し棒
【図１】
2016123698.tif 000003
【図２】
2016123698.tif 000004
【図３】
2016123698.tif 000005
【図４】
2016123698.tif 000006
【図５】
2016123698.tif 000007